(57)【要約】【課題】任意の色彩の糸を容易に得ることができ、しかも、耐水性や防水性に優れる軽量の編み糸、手芸品、装飾品、及び日用品を提供する。【解決手段】編み糸を、中空の空洞部２を有する樹脂糸１とし、この樹脂糸１を複数本編んで手芸品１０であるバッグ１１を構成する。色彩を自由に付与して容易に製造可能な樹脂糸１を手芸に用いるので、派手な色彩の樹脂糸１の他、派手な色彩以外の樹脂糸１でも容易に入手することができる。また、樹脂糸１が中実ではなく、中空なので、手芸品１０の軽量化を図ることができ、しかも、優れた屈曲性や断熱効果も期待できる。また、樹脂糸１をポリエチレン樹脂やポリプロピレン樹脂により成形すれば、優れた耐水性や防水性を得ることができ、用途が限定されるおそれを排除することが可能となる。【選択図】図１
2019116702.tif 000002
【特許請求の範囲】
【請求項１】
空洞部を有する樹脂糸からなることを特徴とする編み糸。
【請求項２】
樹脂糸に充填材と芯材の少なくともいずれかが内蔵されてなる請求項１記載の編み糸。
【請求項３】
樹脂糸が、少なくともポリエチレン樹脂製、ポリプロピレン樹脂製、オレフィン系エラストマー製、スチレン系エラストマー、及びエチレン・酢酸ビニル共重合樹脂製の何れかである請求項１記載の編み糸。
【請求項４】
請求項１、２、又は３記載の編み糸により編まれたことを特徴とする手芸品。
【請求項５】
請求項１、２、又は３記載の編み糸を用いて形成されたことを特徴とする装飾品。
【請求項６】
請求項１、２、又は３記載の編み糸を用いて形成されたことを特徴とする日用品。
【発明の詳細な説明】
【技術分野】
【０００１】
本発明は、編み物に使用される編み糸、手芸品、装飾品、及び日用品に関するものである。
【背景技術】
【０００２】
従来より編み物には、ウールやコットン等の毛糸が使用されている（特許文献１、２参照）が、近年、Ｔシャツやカットソーの生地を裁断した際の余剰部を太い糸にしてリサイクルしたズパゲッティ糸２０が注目されている。このズパゲッティ糸２０は、柔らかいコットンの糸ではあるものの、太く質感に優れるので、編み棒で細かく編まなくても、手芸品を編むことができ、例え手芸の初心者でも容易に編み物を楽しむことができるという利点がある。
そこで近年、ズパゲッティ糸２０を用いた個性的な手芸が流行し、主に各種のバッグ、例えば図７に示すズパゲッティバッグ２１が多く編まれている。
【先行技術文献】
【特許文献】
【０００３】
【特許文献１】特開２０１４‐２１４４０７号公報
【特許文献２】実開平０６‐００６４６８号公報
【発明の概要】
【発明が解決しようとする課題】
【０００４】
しかしながら、ズパゲッティ糸２０を用いた手芸は、簡単で容易ではあるものの、派手な色彩のズパゲッティ糸２０が主に販売されるので、派手な色彩以外のズパゲッティ糸２０を入手するのは容易ではない。また、ズパゲッティ糸２０を用いたズパゲッティバッグ２１等の編み物は、重くなる傾向があり、耐水性や防水性にも問題があるので、用途が限定されるおそれがある。
【０００５】
本発明は上記に鑑みなされたもので、任意の色彩の糸を容易に得ることができ、しかも、耐水性や防水性に優れる軽量の編み糸、手芸品、装飾品、及び日用品を提供することを目的としている。
【課題を解決するための手段】
【０００６】
本発明においては上記課題を解決するため、空洞部を有する樹脂糸からなることを特徴としている。
【０００７】
なお、樹脂糸に充填材と芯材の少なくともいずれかが内蔵されるようにすることができる。
また、樹脂糸が、少なくともポリエチレン樹脂製、ポリプロピレン樹脂製、オレフィン系エラストマー製、スチレン系エラストマー、及びエチレン・酢酸ビニル共重合樹脂製の何れかであると良い。
また、押出成形機に成形材料を投入して溶融混練し、金型から略中空の樹脂糸を連続的に押出成形して冷却することができる。
【０００８】
また、本発明においては上記課題を解決するため、請求項１、２、又は３記載の編み糸により手芸品を編むことを特徴としている。
また、本発明においては上記課題を解決するため、請求項１、２、又は３記載の編み糸を用いて装飾品を形成することを特徴としている。
また、本発明においては上記課題を解決するため、請求項１、２、又は３記載の編み糸を用いて日用品を形成することを特徴としている。
【０００９】
ここで、特許請求の範囲における樹脂糸は、少なくとも内部の一部分、好ましくは内部の大部分、より好ましくは内部の全部分に空洞部を有すると良い。この樹脂糸は、手作業で編まれても良いし、機械的に編まれても良い。樹脂糸には、各種の有彩色や無彩色を付与することができる。また、充填材は、液体、固体、粉体を特に問うものではない。さらに、手芸品と日用品とは、一部重複しても良いし、そうでなくても良い。
【００１０】
本発明によれば、任意の色彩を自由に付与して容易に製造することのできる樹脂糸を手芸等に用いるので、派手な色彩の樹脂糸の他、派手な色彩以外の樹脂糸でも容易に入手することができる。また、樹脂糸が内部に空洞部を有するので、手芸品等の軽量化を図ることができる。また、樹脂糸を疎水性の樹脂等により成形すれば、耐水性や防水性を得ることができ、用途限定のおそれを排除することが可能となる。
【発明の効果】
【００１１】
本発明によれば、編み糸が空洞部を有する樹脂糸からなるので、任意の色彩の編み糸を容易に得ることができるという効果がある。また、耐水性や防水性に優れる軽量の編み糸、手芸品、装飾品、及び日用品を提供することができる。
【図面の簡単な説明】
【００１２】
【図１】本発明に係る編み糸と手芸品であるバッグの実施形態を模式的に示す斜視説明図である。
【図２】本発明に係る編み糸の実施形態における樹脂糸を模式的に示す断面説明図である。
【図３】本発明に係る編み糸の実施形態を模式的に示す図で、（ａ）図は押出成形した複数本の樹脂糸をまとめて集結させた状態を示す側面図、（ｂ）図は（ａ）図の端面図である。
【図４】本発明に係る編み糸の実施形態における複数本の樹脂糸を縒り合わせて太い樹脂糸とする状態を模式的に示す説明図である。
【図５】本発明に係る編み糸の第２の実施形態を模式的に示す図で、（ａ）図は断面楕円形の樹脂糸を示す断面図、（ｂ）図は断面矩形の樹脂糸を示す断面図である。
【図６】本発明に係る編み糸と装飾品の実施形態を模式的に示す斜視説明図である。
【図７】ズパゲッティ糸を用いたズパゲッティバッグを示す説明図である。
【発明を実施するための形態】
【００１３】
以下、図面を参照して本発明の好ましい実施の形態を説明すると、本実施形態における編み糸は、図１ないし図４に示すように、空洞部２を有する樹脂糸１からなり、複数本が編まれて手芸品１０であるバッグ１１を構成する。
【００１４】
各樹脂糸１は、図２に示すように、所定の樹脂含有の成形材料により、可撓性を有する屈曲可能な細長い中空円筒形に押出成形され、内部の中空が軽量化に資する空洞部２を区画形成する。この樹脂糸１の所定の樹脂としては、特に限定されるものではないが、白化しにくい樹脂、例えば発色性，透明性，耐水性，防水性等に優れるポリエチレン（ＰＥ）樹脂、ポリプロピレン（ＰＰ）樹脂、軟質ポリ塩化ビニル（ＰＶＣ）等があげられる。また、装飾性，耐候性，軽量性に優れるオレフィン系エラストマー、環境に対する負荷の少ない安価なスチレン系エラストマー、ゴム弾性，柔軟性，強靭性，低温特性，耐候性等多くの優れた特性を有するエチレン・酢酸ビニル共重合（ＥＶＡ）樹脂等でも良い。
【００１５】
樹脂糸１の成形材料は、樹脂だけでも良いが、製品選択の幅を広げたい場合には、樹脂の他、着色剤、蓄光剤、発泡剤、充填剤等が必要に応じて添加される。この際、樹脂糸１の樹脂の色調が強くない樹脂であれば、繊維では実現困難な透明性を付与することができる。
【００１６】
樹脂糸１は、必要に応じ、透明、不透明、半透明に押出成形される。この樹脂糸１の太さとしては、特に限定されるものではないが、初心者でも容易に手芸することができるよう、例えばズパゲッティ糸２０と略同径のφ８ｍｍ〜φ１２ｍｍ等の太さでも良いし、略同重量のφ１．５ｍｍ〜φ５ｍｍ等の太さでも良い。また、樹脂糸１の硬度は、樹脂糸１の取り扱いを容易にする観点から、ショアＡ硬度で４５以上６０以下、好ましくは４８以上６０以下、より好ましくは５０以上６０以下が良い。
【００１７】
樹脂糸１の空洞部２には、手芸品１０の装飾性や独創性を向上させたい場合には、充填材が必要に応じて内蔵される。この充填材としては、例えば一般的な通常の糸、顔料、ビーズ等があげられる。また、樹脂糸１の強度や形状保持性を向上させたい場合には、柔軟性、屈曲性、機械的強度を有する針金等の芯材が必要に応じ、挿入して内蔵される。
【００１８】
上記において、編み糸である樹脂糸１を製造する場合には、溶融押出成形機の原料投入口に成形材料を投入して溶融混練し、中空の金型から中空の樹脂糸１を連続的に押出成形して冷却し、その後、巻取機に巻き取れば、樹脂糸１を製造することができる。この押出成形の際、成形材料の溶融粘度を高くすれば、金型の押圧力が高くなるので、直線の樹脂糸１ではなく、ちじれた樹脂糸１を押出成形することができる。また、押出速度、及び引巻取速度を変更すれば、樹脂糸１の径を変更することができる。また、樹脂糸１が容易に変形するので、作業性の向上が期待できる。
【００１９】
また、押出成形の際、１本の樹脂糸１を連続的に押出成形しても良いが、複数の溶融押出成形機の金型から樹脂糸１をそれぞれ連続的に押出成形し、この複数本の樹脂糸１を完全に硬化する前にまとめて集結させたり（図３参照）、縒り合わせて太い樹脂糸１としても良い（図４参照）。
【００２０】
複数本の樹脂糸１を押出成形する場合には、全ての樹脂糸１が同色・同材料でも良いし、異なる色彩・異なる材料でも良い。例えば図３に示すように、青色，白色，黒色の色彩に異なる複数本の樹脂糸１Ａ・１Ｂ・１Ｃを押出成形しても良い。また、複数本の樹脂糸１Ａ・１Ｂ・１Ｃをまとめて集結させる場合には、熱すぎると複数本の樹脂糸１が融着するおそれがあるので、スキン層が形成される程度に各樹脂糸１を冷却した後、複数本の樹脂糸１を集結させれば良い。
【００２１】
編み糸である樹脂糸１を製造したら、必要本数の樹脂糸１を鎖編み、こま編み、引き抜き編み等で編めば、手芸品１０であるバッグ１１を製作することができる。手芸品１０は、バッグ１１に限定されるものではなく、例えばカードケース，カラトリーケース，コースター，スマホケース，スレッドコード，タッセル，ティッシュカバー，ポーチ，ブレスレット、ペットボトルホルダー等でも良い。
【００２２】
上記によれば、色彩を自由に付与して容易に製造可能な樹脂糸１を手芸に用いるので、派手な色彩の樹脂糸１の他、派手な色彩以外の樹脂糸１でも容易に入手することができる。また、樹脂糸１が樹脂製なので、レーザマーカや印刷等による二次加工の装飾が容易となり、樹脂糸１に各種の意匠、例えばキャラクター、ヒョウ柄、ロゴ等を簡単に形成することができる。また、樹脂糸１の樹脂の屈曲性を選択することにより、例え樹脂糸１の径が小径でも、コシを付与することができるので、編み棒の有無に拘わらず、編み糸としての機能を確保することができる。
【００２３】
また、樹脂糸１が中実ではなく、中空なので、手芸品１０の軽量化を図ることができ、しかも、優れた屈曲性や断熱効果が期待でき、コスト削減も期待できる。また、樹脂糸１をポリエチレン樹脂やポリプロピレン樹脂により成形すれば、優れた耐水性や防水性を得ることができ、用途が限定されるおそれを排除することが可能となる。さらに、樹脂糸１の樹脂を選択して樹脂糸１表面に平滑な摺動性を付与すれば、製造時における摩擦熱の発生を低減し、作業性の向上が大いに期待できる。
【００２４】
次に、図５は本発明の第２の実施形態を示すもので、この場合には、樹脂糸１の断面を円形ではなく、楕円形にしたり（図５（ａ）図参照）、角形（図５（ｂ）図参照）に変更するようにしている。その他の部分については、上記実施形態と同様であるので説明を省略する。
本実施形態においても上記実施形態と同様の作用効果が期待でき、しかも、樹脂糸１の形状の多様化を図ることができるのは明らかである。
【００２５】
次に、図６は本発明の第２の発明の実施形態を示すもので、この場合には、上記編み糸を用いて装飾品１２であるブレスレット１３を形成するようにしている。
装飾品１２は、ブレスレット１３に限定されるものではなく、例えばターバン，タッセルピアス，ヘアゴム等でも良い。その他の部分については、上記実施形態と同様であるので説明を省略する。
本実施形態においても上記実施形態と同様の作用効果が期待でき、しかも、樹脂糸１により、独創的で軽量の装飾品１２を得ることができるのは明らかである。
【００２６】
なお、上記実施形態では編み糸を用いて手芸品１０を編んだり、装飾品１２を形成したが、何らこれに限定されるものではない。例えば、編み糸を用いて日用品である鍋敷き，マット，ミニ籠等を編んでも良い。また、樹脂糸１は、完全な中空の筒形が好ましいが、大部分が中空であれば、一部が閉塞していても良い。
【産業上の利用可能性】
【００２７】
本発明に係る編み糸、手芸品、装飾品、及び日用品は、手芸、裁縫、工芸、装飾、家庭用品等の製造分野で使用される。
【符号の説明】
【００２８】
１        樹脂糸
１Ａ      樹脂糸
１Ｂ      樹脂糸
１Ｃ      樹脂糸
２        空洞部
１０      手芸品
１１      バッグ
１２      装飾品
１３      ブレスレット
【図１】
2019116702.tif 000003
【図２】
2019116702.tif 000004
【図３】
2019116702.tif 000005
【図４】
2019116702.tif 000006
【図５】
2019116702.tif 000007
【図６】
2019116702.tif 000008
【図７】
2019116702.tif 000009